(57)【要約】【課題】床下内の湿気排除のための吸排気（換気）と空気流の循環促進のための循環（撹拌）とを同時に可能とする構造が簡単かつコンパクトな撹拌同時吸排気装置を実現する。【解決手段】一つの本体ケース２をモーター取付板６で上下に仕切って夫々に吸排気用ケーシング１４及び循環用ケーシング２１を設け、この吸排気用ケーシング１４及び循環用ケーシング２１に設けた吸排気用ファン１５と循環用ファン２５を、両軸モーター２７の上下の駆動軸に夫々とりつける。【選択図】    図１
2004218971.tif 000002
【特許請求の範囲】
【請求項１】
円筒状の本体ケースと、該本体ケースがモーター取付板で上下に仕切られて形成される上部室と下部室と、上記上部室に配設された吸排気用ケーシングと、上記下部室に配設された循環用用ケーシングと、上記モーター取付板に上下方向に貫通するように取り付けられ、互いに軸心が同じである上部駆動軸と下部駆動軸を有する両軸モーターと、上記上部駆動軸に取り付けられた吸排気用ファンと、上記下部駆動軸に取り付けられた循環用ファンと、を備えて成る撹拌同時吸排気装置において、
上記上部室には、本体ケースの外周方向に間隔をおいた複数の位置で開口する複数の吸気口と、少なくとも１つの排気口が形成されており、該排気口は排気ダクトを介して建家の外部に連通しており、
上記吸排気用ファンは、上記吸排気用ケーシング内に配設されており、上記吸気口から空気を吸入して上記排気口から該空気を排出するものであり、
上記下部室には、その底部に開口する循環用吸気孔と、本体ケースの外周方向に間隔をおいた複数の位置で開口する複数の循環用排気孔が形成されており、
上記循環用ファンは、上記循環用ケーシング内に配設されており、上記循環用吸気孔から空気を吸入して上記循環用排気孔から該空気を排出して空気の循環を行うものであることを特徴とする撹拌同時吸排気装置。
【請求項２】
上記吸排気用ケーシングは、上部が開口しており、上記吸気口から上部室に吸入した空気を、該上部の開口から上記吸排気用ケーシング内に取り込み、吸排気用ファンで排気口から排出するものであることを特徴とする請求項１記載の撹拌同時吸排気装置。
【請求項３】
上記循環用ケーシングは、下部に開口する開口部と、循環用ファンの配設される中央空間部と、該中央空間部と上記複数の循環用排気孔の夫々と連通する複数の循環用排気路とを有することを特徴とする請求項１又は２記載の撹拌同時吸排気装置。
【請求項４】
上記下部室内であって、上記本体ケースの内側かつ記循環用ケーシングの外側の空間内に、上記モーターの配線端子ボックスが配設されていることを特徴とする請求項１、２又は３記載の撹拌同時吸排気装置。
【請求項５】
上記複数の吸気口及び上記排気口並び上記複数の循環用排気孔は、夫々本体ケースの中心から見て放射方向に向けて形成されており、上記複数の吸気口と上記複数の循環用排気孔は、本体ケースの外周方向に互いずれて形成されていることを特徴とする請求項１、２、３又は４記載の撹拌同時吸排気装置。
【請求項６】
上記循環用ケーシングの複数の循環用排気路は、平面的に見て渦巻き状形成されていることを特徴とする請求項３、４又は５記載の撹拌同時吸排気装置。
【請求項７】
上記吸気口及び上記循環用吸気孔には、網、格子又はガードが取り付けられていることを特徴とする請求項１、２、３、４、５又は６記載の撹拌同時吸排気装置。
【請求項８】
上記吸気口には、格子部を有する吸気キャップが吸気ダクトを介して又は介さずに装着されていることを特徴とする１〜７のいずれか１項に記載の撹拌同時吸排気装置。
【請求項９】
上記排気ダクトの先端には吹出口器が装着されており、吹出口器は、吹出口本体と、該吹出口本体に着脱可能に装着される吹出口格子具とから成ることを特徴とする１〜８のいずれか１項に記載の撹拌同時吸排気装置。
【発明の詳細な説明】
【０００１】
【発明の属する技術分野】
本発明は、一般住宅用の床下及び天井裏の撹拌同時吸排気装置に関し、特に、床下の換気を行う吸排気用ファン（換気用ファン）と、床下の空気を撹拌して循環させる循環用ファン（撹拌用ファン）とが一つのモーターで駆動されるように一体に形成され、床下内の空気の循環（撹拌）と吸排気（換気）を同時に行うことのできる撹拌同時吸排気装置に関する。
【０００２】
【従来の技術】
近年、住宅の床下が通気性が悪いこと、多湿等が原因で、カビが発生したり、白アリ等の被害によって住宅の寿命を著しく低下させていると言う点が問題となっている。
【０００３】
このような問題を解決するために、従来は住宅の土台、根太、大引、柱下部等に、薬剤を塗布する方法により白アリ等の駆除を行う等、薬剤による駆除方法もあるが、床下の薬剤が空気と共に室内にも入り込み、又新建材などの有害物質と複合し、アトピー性皮膚炎等の生じるシックハウス症候と言われる症状を引き起こす一因とも考えられており、健康上必ずしも好ましくはない。そこで、薬剤を使用しない手段が期待されている。
【０００４】
本発明者は、この問題を解決するために、床下の空気を撹拌して建家を支える基礎の周囲に空気を流す床下換気扇についてすでに提案をしている（特許文献１参照。）
【０００５】
【特許文献１】
特開２００１−２１１９０号公報（段落０００６、図１）
【０００６】
【発明が解決しようとする課題】
特許文献１記載の発明は、主に床下内での循環を行わせる換気扇であるが、床下の空気のよどみを解消するということはできるが、床下の空気の循環だけでは、湿気を取り除く効果は小さく、カビの発生や、白アリの被害等を防止することも十分ではないという知見を得た。
【０００７】
そこで本発明者は、床下内の空気を循環する装置と、床下の湿気を取り除く装置を別々に用意して夫々複数台（例えば、排気ファン３台と撹拌ファン２台の合計５台）床下に設置することを試してみたが、湿気を取り除く装置を別々に用意して夫々複数台床下に設置するのは、装置コストが高く成るだけでなく、床下や屋根裏は空間が狭いので、設置スペースの工夫、電気配線工事等含めて設置作業はきわめて困難で手間がかかり、取付コストやメインテナンスの費用もで高くなる。
【０００８】
本発明は、上記問題を解消することを目的とするものであり、床下や屋根裏など建家の中で、空気が滞留し、湿気が発生する箇所に設置することのできる、構造が簡単で、コンパクトな構成の一般住宅等の床下及び天井裏に設置することの適した撹拌同時吸排気装置を実現することを課題とする。
【０００９】
【課題を解決するための手段】
本発明は上記課題を解決するために、円筒状の本体ケースと、該本体ケースがモーター取付板で上下に仕切られて形成される上部室と下部室と、上記上部室に配設された吸排気用ケーシングと、上記下部室に配設された循環用用ケーシングと、上記モーター取付板に上下方向に貫通するように取り付けられ、互いに軸心が同じである上部駆動軸と下部駆動軸を有する両軸モーターと、上記上部駆動軸に取り付けられた吸排気用ファンと、上記下部駆動軸に取り付けられた循環用ファンと、を備えて成る撹拌同時吸排気装置において、上記上部室には、本体ケースの外周方向に間隔をおいた複数の位置で開口する複数の吸気口と、少なくとも１つの排気口が形成されており、該排気口は排気ダクトを介して建家の外部に連通しており、上記吸排気用ファンは、上記吸排気用ケーシング内に配設されており、上記吸気口から空気を吸入して上記排気口から該空気を排出するものであり、上記下部室には、その底部に開口する循環用吸気孔と、本体ケースの外周方向に間隔をおいた複数の位置で開口する複数の循環用排気孔が形成されており、上記循環用ファンは、上記循環用ケーシング内に配設されており、上記循環用吸気孔から空気を吸入して上記循環用排気孔から該空気を排出して空気の循環を行うものであることを特徴とする撹拌同時吸排気装置を提供する。
【００１０】
上記吸排気用ケーシングは、上部が開口しており、上記吸気口から上部室に吸入した空気を、該上部の開口から上記吸排気用ケーシング内に取り込み、吸排気用ファンで排気口から排出するものであることを特徴とする。
【００１１】
上記循環用ケーシングは、下部に開口する開口部と、循環用ファンの配設される中央空間部と、該中央空間部と上記複数の循環用排気孔の夫々と連通する複数の循環用排気路とを有する構成としてもよい。
【００１２】
上記下部室内であって、上記本体ケースの内側かつ記循環用ケーシングの外側の空間内に、上記モーターの配線端子ボックスが配設されている構成とすることが好ましい。
【００１３】
上記複数の吸気口及び上記排気口並び上記複数の循環用排気孔は、夫々本体ケースの中心から見て放射方向に向けて形成されており、上記複数の吸気口と上記複数の循環用排気孔は、本体ケースの外周方向に互いずれて形成されている構成とすることが好ましい。
【００１４】
上記循環用ケーシングの複数の循環用排気路は、平面的に見て渦巻き状形成されている構成とすることが好ましい。
【００１５】
上記吸気口及び上記循環用吸気孔には、網、格子又はガードが取り付けられている構成とすることが好ましい。
【００１６】
【発明の実施の形態】
本発明に係る撹拌同時吸排気装置の実施の形態を実施例に基づいて図面を参照して、以下に説明する。図１〜４は、本発明の実施例を説明する図である。本発明に係る撹拌同時吸排気装置１について、図１（ａ）は、その内部を示す図であり、図１（ｂ）はその正面図であり、図２は上面図を示し、図３は底面図を、夫々示す図である。そして、図４（ａ）は、撹拌同時吸排気装置１の後述する吸気口に吸気キャップが装着され、図４（ｂ）は吸気口に吸気ダクトを介して吸気キャップが装着された状態を夫々示す図である。
【００１７】
本発明に係る撹拌同時吸排気装置１は、本体ケース２を有している。この本体ケース２は、ほぼ円筒状であり、具体的には、その上部は頂壁３で閉じられており、その底部３’には、後述する循環用吸気孔４として開口が形成された円筒壁５から成る。そして、本体ケース２は、図１（ａ）に示すように、モーター取付板６で上部室７と下部室８とに区画されている。
【００１８】
図２に示すように、上部室７には、本体ケース２の外周方向に間隔（この間隔は等しいことが望ましいが必ずしも等しくなくてもよい。）をおいた複数の位置で放射方向に開口する複数の吸気口９と、少なくとも１つの排気口１０が形成されており、排気口１０は、図４（ａ）に示すような排気ダクト１１を介して、この撹拌同時吸排気装置１が設置される建家の外部に連通し開口している。
【００１９】
この実施例では、上部室７には、本体ケース２の前部、左部及び後部の３ヶ所の位置において、本体ケース２の中心から放射方向（直径方向）に向けて短筒状の３つの吸気口９が設けられている。そして、本体ケース２の右部の位置には１つの排気口１０が形成されており、この排気口１０に、図４（ａ）に示すとおり、屋外に伸びるように設けられた排気ダクト１１が接続して取り付けられている。
【００２０】
吸気口９には、金網１２が取り付けられており、虫、ネズミ等の小動物、ごみ、建材の端切れ等の物体が、撹拌同時吸排気装置１の上部室７内に入り込だり吸い込んだりしないような構造となっている。
【００２１】
吸気口９には、図４（ａ）に示すように、金属製又は合成樹脂製の吸気キャップ３３が取り付けられている。この吸気キャップ３３の先端部には、空気取り入れ用の格子部３４が形成されている。格子部３４は、金網１２より前において虫、ネズミ等の小動物が入り込むことを防止するものである。なお、吸気口９に図４（ｂ）に示すように、吸気ダクト３５を接続し、この吸気ダクト３５の先端に吸気キャップ３３を装着するような構成としてもよい。
【００２２】
そして、上部室７には、図１（ａ）に示すように、上部中央の開口１３を有する吸排気用ケーシング１４が配設されている。この吸排気用ケーシング１４内に吸排気用ファン１５が配設されている。上記吸排気用ファン１５は、上記吸気口９から空気を吸入して上記排気口１０から該空気を排出するものである。
【００２３】
下部室８には、図３に示すように、本体ケース２の底部３’のほぼ中央に開口する循環用吸気孔４と、本体ケース２の外周方向に間隔（この間隔は一定間隔であることが好ましいが必ずしも一定間隔でなくてもよい。）をおいた複数の位置で開口する複数の循環用排気孔１６が形成されている。複数の循環用排気孔１６の設置数はいろいろ考えられるが、この実施例では、下部室８には、本体ケース２の周囲の等間隔をおいた４ヶ所に本体ケース２の半径方向（放射方向）に短筒状の循環用排気孔１６が設けられている。
【００２４】
上部室７の複数の吸気口９と下部室８の複数の循環用排気孔１６とは、本体ケース２の外周方向にずれた位置に配置されることが好ましい。このように互いにずれて配置すると、吸気口９による空気の吸込と循環用排気孔１６による空気の排気が互いに干渉しないという効果が生じる。
【００２５】
循環用吸気孔４には、図３に示すように、同心の複数の円環１８と十字状支持杆１９から成るガード２０が取り付けられている。このガード２０は、虫、ネズミ等の小動物、ごみ、建材の端切れ等の物体が撹拌同時吸排気装置１の下部室８内に入り込んだり吸い込んだりしないようにするものである。ガード２０の代わりに金網、合成樹脂製の網や格子等を取り付けてもよい。
【００２６】
下部室８には、循環用ケーシング２１が配設されている。この循環用ケーシング２１は、その下部中央の開口２２と、中央の空間部（スペース）２３と、この中央の空間部２３から本体ケース２の周囲の複数の位置（本実施例では４ヶ所）の循環用排気孔１６に夫々連通する複数（本実施例では４つ）の循環用排気路２４とを有する。
【００２７】
循環用ケーシング２１内に循環用ファン２５が配設されている。複数の循環用排気路２４は、循環用ファン２５の送風方向に沿うように、平面的に見て渦巻き状に形成されている。各循環用排気路２４内には、風向案内板２６が配設されている。
【００２８】
モーター取付板６のほぼ中央部には、図１（ａ）に示すように、モーター取付板６を上下方向に貫通するようにモーター２７が取り付けられている。このモーター２７は、互いに軸心が同じである上部駆動軸２８及び下部駆動軸２９が設けられた直流の両軸モーターが利用されており、上部駆動軸２８及び下部駆動軸２９が上下方向に向くように配設されている。
【００２９】
モーター２７の上部駆動軸２８には、吸排気用ファン１５が取り付けられており、吸排気用ファン１５がモーター２７で回転駆動される。モーター２７の下部駆動軸２９には、循環用ファン２５が取り付けられており、循環用ファン２５はモーター２７で回転駆動される。
【００３０】
モーター２７の配線端子ボックス３０は、図３に示すように、下部室８内において本体ケース２と循環用ケーシング２１の間の空間内に配設されており、この配線端子ボックス３０に、電源コード１７が接続されている。電源コード１７はスイッチを介して適宜、建家の電源に接続されている。
【００３１】
本体ケース２の頂壁３の中央部の上面に、図１（ａ）及び図２に示すように、取付孔３２が形成されている取付固定金具３１が設けられている。この取付固定金具３１で、撹拌同時吸排気装置１を、建家の床下又は屋根裏の構造物（例．床下の場合は大引きや根太等、又屋根裏の場合は梁等）に簡単に装着することができる。
【００３２】
図５及び図６は、本発明に係る撹拌同時吸排気装置１の排気ダクト１１の先端に取り付けられ、撹拌同時吸排気装置１にきわめて効果的に機能する吹出口器３６を説明する図である。図５（ａ）、（ｂ）は、吹出口器上から見た断面、側方から見た断面を夫々示す図であり、図６（ａ）、（ｂ）、（ｃ）は、背面、上面、正面を夫々示す図である。
【００３３】
この吹出口器３６は、建家の開口部に取り付ける。ここで、建家の開口部とは、例えば、床下における布基礎（コンクリート）の上面と土台の間に基礎パッキンを介装することで形成される布基礎と土台の間の隙間（通常の家屋ではこの隙間で通気が保たれている。）、布基礎の換気口、天井裏押し先、矢切部等がある。この吹出口器３６が布基礎と土台の隙間に対応して取り付けられる場合は、専用の「基礎パッキン用吹出口器」として利用されることとなる。
【００３４】
この吹出口器３６は、吹出口本体３７と、吹出口本体３７に着脱可能に装着される吹出口格子具３８とから成る。吹出口本体３７は、アルミニウムや合成樹脂（例．塩化ビニル）等の材料で形成されており、その前面側（正面側）の吹出口格子具装着部３９と、吹出口格子具装着部３９の開口周縁に形成された取付フランジ４０と、背面側に形成されたダクト接続部４１と、吹出口格子装着部３９からダクト接続部４１に湾曲面状に連成する湾曲壁部４２とから一体に形成されている。
【００３５】
吹出口格子具装着部３９は、正面からみて矩形に形成され、吹出口格子具３８を装入して装着する部分である。ダクト接続部４１は筒状に形成されており、排気ダクト１１が被着されバンド等の締結具で締着して取り付けられる。ダクト接続部４１は湾曲壁部４２で囲まれる吹出口空間部４３に開口している。
【００３６】
吹出口格子具３８は、同様にアルミニウムや合成樹脂（例．塩化ビニル）等の材料で形成されており、図５（ｂ）にその断面を示すように、吹出口格子装着部３９内に装入され、吹出口本体３７の取付フランジ４０に着脱可能にネジ止めされる。そして、吹出口格子具３８は、前面に図６（ｃ）に示すような格子口４４と、この格子口４４から湾曲壁部４２に向けて徐々に広がるテーパ面４５とを有する。
【００３７】
この吹出口器３６の特徴は、吹出口器３６を取り付ける建家の開口（例．布基礎と土台間の基礎パッキンで形成される隙間、土台に形成された換気口等）の寸法に応じて、格子口４４の横幅の寸法ｗの異なる吹出口格子具３８を選択的に吹出口本体３７に装着できる構成である。
【００３８】
即ち、吹出口格子具３８の格子口４４の長手方向に直交する方向（図６（ｃ）中では上下方向）の格子口４４の幅（これを「格子口の横幅」という。）の寸法ｗのみが大小いろいろと異なる複数の吹出口格子具３８を製造し用意しておく。そして、吹出口器３６を取り付けるべき建家の開口の寸法に対応して、適切な格子口４４の横幅寸法ｗを有する吹出口格子具３８を選択し、吹出口格子具装着部３９に装入して装着することが可能となる。
【００３９】
（作用）
以上の構成から成る撹拌同時吸排気装置１の作用について、撹拌同時吸排気装置１を一般住宅用の床下に取り付ける場合で説明する。撹拌同時吸排気装置１を、その取付固定金具３１の取付孔３２を床下に配置された建家の大引き等の構造物の一部にビス等の固着具で取り付ける。
【００４０】
そして、排気ダクト１１の先端に、吹出口器３６を取り付けて、この吹出口器３６を建家の開口部に取り付ける。具体的には、前述の通り、例えば、床下における布基礎（コンクリート）と土台の間に配置された基礎パッキンで形成される布基礎と土台の間の隙間等に対応して取り付けられる。
【００４１】
この際、予め布基礎と土台の間の隙間に合わせて選択した吹出口格子具３８を吹出口本体３７に装着しておく。そして、吹出口格子具３８を、その長手方向を布基礎と土台の隙間の長手方向に沿うようにして、吹出口器３６のフランジ４０を土台に沿うように当接して、ネジ止めして固定する。これにより、排気ダクト１１及び吹出口器３６を布基礎と土台の間の隙間等に対応して簡単に取り付けることができる。
【００４２】
電源コード１７のスイッチを入れると、モーター２７が始動し、吸排気用ファン１５及び循環用ファン２５が同時に回転する。吸排気用ファン１５が回転すると、上部室７に吸気キャップ３３の装着された３つの吸気口９から、床下内の湿気を含む空気が放射方向の三方から上部室７内に吸い込まれる。
【００４３】
上部室７内に吸い込まれた空気は、吸排気用ケーシング１４の上部の開口１３から吸排気用ケーシング１４内に吸い込まれ、吸排気用ファン１５により吸排気用ケーシング１４の内面に沿って排気口１０から排気され、さらに排気ダクト１１及び吹出口器３６を通して建家の外部に排出される。
【００４４】
本発明では、本体ケース２の周方向に間隔をおいて複数の吸気口９を設け、床下内の放射方向の複数方向（この実施例では放射方向三方）から湿気を上部室７内に吸い込むので、湿気は床下の一部に偏ることなく全体的に、均等にむらなく排除される。
【００４５】
一方、循環用ファン２５が回転すると、床下内の空気が、本体ケース２の循環用吸気孔４及び循環用ケーシング２１の下部中央の開口２２を通し、循環用ケーシング２１内に吸込まれ、この吸い込まれた空気は、循環用ファン２５により４つの循環用排気路２４を通して４つの循環用排気孔１６から放射方向にむらなく均一に排気される。これにより、床下内の空気は、床下内で撹拌同時吸排気装置１を中心にしてむらなく均一に循環し、床下内での全体的又は部分的な空気の滞留が解消される。
【００４６】
特に、本発明に係る撹拌同時吸排気装置１では、床下内の放射方向の複数方向から湿気を含む空気を吸い込み、湿気を建家外に排気することができ、同時に撹拌同時吸排気装置１から、放射方向の複数の方向に、空気流を発生させることが可能である。これにより、床下内の一部ではなく全面的に、湿気を排除すると同時に、空気を均等にむらなく循環させることができる点は大きな特徴である。
【００４７】
撹拌同時吸排気装置１を天井裏に配設した場合も床下内と同様の作用が生じる。これにより、本発明に係る撹拌同時吸排気装置１を床下又は天井裏に設けることにより、吸排気用ファン１５で、床下又は天井裏における湿気を含んだ空気を建家の外部に排気するとともに、循環用ファン２５で床下又は天井裏の全体にわたって空気を循環させることで空気のよどみを防止することができる。
【００４８】
このように、撹拌同時吸排気装置１の吸排気用ファン１５と循環用ファン２５の相乗的な作用により、床下又は屋根裏内の空気のよどみや湿気を少なくすることがきるので、建物の寿命を向上させるとともに、快適な住環境を創出することができる。本発明者は、撹拌同時吸排気装置１を、日中の約６時間程度動作させることにより、高温多湿を好む白アリ、カビの発生を抑える効果が確認できた。
【００４９】
なお、吸気口９に図４（ｂ）に示すように、吸気ダクト３５を接続し、この吸気ダクト３５の先端に吸気キャップ３３を装着すれば、吸気ダクト３５を、床下の所望の領域（例えば水回り近傍の湿気の多い領域等）まで伸ばして選択的に設置することができるので、床下（屋根裏についても同様）隅々まで効果的な換気が可能となる。
【００５０】
そして、図４（ａ）に示す吸気口９の一つ又は複数に、吸気ダクト３５を接続し、この吸気ダクト３５を、床下より押入等の床部まで伸ばして設置すれば、床部の吸気も可能である。同様に、天井裏に、撹拌同時吸排気装置１を設置した場合は、建物の２階の１室の天井部のレジスタに吸気ダクト３５の先端を接続すれば、その室の換気も可能となる。
【００５１】
本発明に係る撹拌同時吸排気装置１は、撹拌同時吸排気装置１のモーター２７、吸排気用ファン１５及び循環用ファン２５の能力、床下又は屋根裏のスペースの広さ、建家の環境立地条件（その建家の土地の気象条件、地形条件等）、建家の構造（木造、鉄筋等）等の各種の条件に応じて、設置台数や設置の配置を決めればよい。例えば、一般建家では、本発明に係る撹拌同時吸排気装置を２台設置すれば、排気換気扇３台と撹拌換気扇２台を設ける場合に匹敵する能力を発揮する。
【００５２】
以上、本発明に係る撹拌同時吸排気装置の実施形態を実施例に基づいて説明したが、本発明は特にこのような実施例に限定されることなく、特許請求の範囲記載の技術的事項の範囲内でいろいろな実施例があることはいうまでもない。
【００５３】
【発明の効果】
本発明に係る撹拌同時吸排気装置は以上の構成であるので、次のような効果が生じる。
（１）本発明では、床下の換気を行う吸排気用ファンと床下の空気を撹拌して循環させる循環用ファンを一つのモーターで駆動されるように一体に形成し、床下内の吸排気による換気と、撹拌による循環とを同時に行うことのできるようにしたので、吸排気用ファンと循環用ファンの相乗的な作用により、床下又は屋根裏内の湿気や空気のよどみをきわめて効果的に低減させることができる。
【００５４】
（２）特に、本発明に係る撹拌同時吸排気装置では、撹拌同時吸排気装置１から放射方向の複数方向からむらなく湿気を吸込み、これを建家外に排気することができ、しかも、同じく放射方向の複数方向に空気流を発生させることが可能であるから、床下内の一部ではなく全面的にむらなく湿気を排除することができるとともに、床下内の空気を均等にむらなく循環させることができるという効果が生じる。
【００５５】
（３）これにより、建物の寿命の向上するとともに、快適な住環境を創出することができ、高温多湿を好むカビや白アリの発生を抑える効果がきわめて大きい。又、撹拌同時吸排気装置を屋根裏等に設けた場合は、シックハウス症候群の原因となる建家内に滞留する有機物を効果的排除できるという効果が生じる。
【００５６】
（４）一つの本体ケースをモーター取付板で上下に仕切って夫々に吸排気用ケーシング及び循環用ケーシングを設け、この吸排気用ケーシング及び循環用ケーシングに設けた吸排気用ファンと循環用ファンを、両軸モーターの上下の駆動軸に夫々取り付けることにより、床下内の湿気排除のための吸排気装置（換気装置）と空気流の循環促進のための循環装置（撹拌装置）とを一体としたので、その構造がきわめて簡単かつコンパクトとなるだけでなく、床下や天井裏内に吸排気装置及び循環用装置を別々に設ける必要がなくなる。
【００５７】
（５）格子口の横幅のみがが大小いろいろと異なる複数の吹出口格子具を用意しておけば、この中から適宜幅の吹出口格子具を選択し吹出口格子具装着部に装着することにより、建家の開口の寸法に適した格子口の横幅を有する吹出口格子具を取り付けることが可能となる。
【図面の簡単な説明】
【図１】本発明に係る撹拌同時吸排気装置の実施例を示す図であり、図１（ａ）は、その内部を示す図であり、図１（ｂ）はその正面図である。
【図２】本発明に係る撹拌同時吸排気装置の実施例の上面図（上部平面図）を示す。
【図３】本発明に係る撹拌同時吸排気装置の実施例の底面図（下部平面図）を示す。
【図４】本発明に係る撹拌同時吸排気装置の実施例の上面図（上部平面図）を示す図であり、図４（ａ）は、撹拌同時吸排気装置の吸気口に吸気キャップが装着され、図４（ｂ）は吸気口に吸気ダクトを介して吸気キャップが装着された状態を夫々示す図である。
【図５】本発明に係る撹拌同時吸排気装置の排気ダクトの先端に取り付けられる、撹拌同時吸排気装置の専用吹出口器を説明する図であり、図５（ａ）、（ｂ）は、吹出口器を上から見た断面、側方から見た断面を夫々示す図である。
【図６】本発明に係る撹拌同時吸排気装置の排気ダクトの先端に取り付けられる、撹拌同時吸排気装置の専用吹出口器を説明する図であり、図６（ａ）、（ｂ）、（ｃ）は、背面、上面、正面を夫々示す図である。
【符号の説明】
１  撹拌同時吸排気装置
２  本体ケース
３  頂壁
４  循環用吸気孔
５  円筒壁
６  モーター取付板
７  上部室
８  下部室
９    吸気口
１０  排気口
１１  排気ダクト
１２  金網
１３  吸排気用ケーシングの上部中央の開口
１４  吸排気用ケーシング
１５  吸排気用ファン
１６  循環用排気孔
１７  電源コード
１８  円環
１９  十字状支持杆
２０  ガード
２１  循環用ケーシング
２２  循環用ケーシングの下部中央の開口
２３  循環用ケーシングの中央の空間部
２４  循環用排気路
２５  循環用ファン
２６  風向案内板
２７  モーター
２８  上部駆動軸
２９  下部駆動軸
３０  配線端子ボックス
３１  取付固定金具
３２  取付固定金具の取付孔
３３  吸気キャップ
３４  吸気キャップの格子部
３５  吸気ダクト
３６  吹出口器
３７  吹出口本体
３８  吹出口格子具
３９  吹出口格子具装着部
４０  取付フランジ
４１  ダクト接続部
４２  湾曲壁部
４３  吹出口空間部
４４  格子口
４５  吹出口格子具のテーパ面
【図１】
2004218971.tif 000003
【図２】
2004218971.tif 000004
【図３】
2004218971.tif 000005
【図４】
2004218971.tif 000006
【図５】
2004218971.tif 000007
【図６】
2004218971.tif 000008